【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
用紙を載置する給紙トレイと、
前記給紙トレイから所定の搬送速度にて搬送された用紙上に転写されたトナー画像を定着させる定着ローラと、
前記定着ローラの下流側に配置され、前記用紙を機外へ搬送するための排紙ローラと、
前記定着ローラと前記排紙ローラとの間に配置され、前記用紙を検知する用紙検知手段と、
前記用紙の搬送速度を制御する搬送制御手段と、
前記用紙検知手段による検知結果に応じて前記用紙の定着巻付ジャムを検出するジャム検出手段とを具備し、
前記搬送制御手段は、前記用紙の後端が前記定着ローラを抜けるはずのタイミングで前記用紙の搬送速度を減速させることを特徴とする画像形成装置。
【請求項２】
前記搬送制御手段は、前記用紙検知手段が用紙の先端を検知してから、減速前における前記用紙の搬送速度と前記用紙の用紙長とに応じた時間が経過したタイミングで前記用紙の搬送速度を減速させることを特徴とする請求項１に記載の画像形成装置。
【請求項３】
前記給紙トレイと前記定着ローラとの間に配置され、前記用紙を検知するセンサを備え、
前記搬送制御手段は、前記センサが用紙の後端を検知してから、減速前における前記用紙の搬送速度及び前記センサと前記定着ローラとの距離に応じた時間が経過したタイミングで前記用紙の搬送速度を減速させることを特徴とする請求項１に記載の画像形成装置。
【請求項４】
前記搬送制御手段は、前記用紙の用紙長が、前記定着ローラと前記用紙検知手段との距離の２倍より小さい場合には、用紙の搬送速度を減速させないことを特徴とする請求項１乃至３のいずれかに記載の画像形成装置。
【請求項５】
前記搬送制御手段は、減速前における前記用紙の搬送速度、前記定着ローラと前記用紙検知手段との距離、および前記用紙の用紙長に基づく速度へ、前記用紙の搬送速度を減速させることを特徴とする請求項１乃至４のいずれかに記載の画像形成装置。
【手続補正２】
【補正対象書類名】明細書
【補正対象項目名】００１２
【補正方法】変更
【補正の内容】
【００１２】
しかし、従来の定着巻付ジャムの検知方法には、次のような問題がある。つまり、用紙が定着ローラに巻き込まれて、用紙が逆方向に引かれて、用紙の先端が排紙センサを抜けるまでの時間が、正常に搬送した際の所定時間（排紙センサオンからT1経過後、T2経過するまでの時間）と一致すると、正常に搬送できた場合と区別がつかない。
【手続補正３】
【補正対象書類名】明細書
【補正対象項目名】００１３
【補正方法】変更
【補正の内容】
【００１３】
そこで本発明の目的は、定着巻付ジャムの発生をより確実に検知できるようにすることである。
【手続補正４】
【補正対象書類名】明細書
【補正対象項目名】００１４
【補正方法】変更
【補正の内容】
【００１４】
上記の課題を解決するために、本発明にかかる画像形成装置は、用紙を載置する給紙トレイと、前記給紙トレイから所定の搬送速度にて搬送された用紙上に転写されたトナー画像を定着させる定着ローラと、前記定着ローラの下流側に配置され、前記用紙を機外へ搬送するための排紙ローラと、前記定着ローラと前記排紙ローラとの間に配置され、前記用紙を検知する用紙検知手段と、前記用紙の搬送速度を制御する搬送制御手段と、前記用紙検知手段による検知結果に応じて前記用紙の定着巻付ジャムを検出するジャム検出手段とを具備し、前記搬送制御手段は、前記用紙の後端が前記定着ローラを抜けるはずのタイミングで前記用紙の搬送速度を減速させる構成とした。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
本発明にかかる画像形成装置は、定着巻付ジャムの発生をより確実に検出することができる。
【手続補正８】
【補正対象書類名】明細書
【補正対象項目名】００２７
【補正方法】変更
【補正の内容】
【００２７】
次に、図２のフロー図を用いて、動作手順を説明する。処理制御は、CPU1が実行する。また、使用する記号Ｖ１は、定着ローラおよび排紙ローラの回転速度であり、記号Ｖ２は、減速後の排紙ローラの回転速度であり、記号Ｌは、用紙の長さであり、記号Ｓは、定着ローラと排紙センサとの距離である。用紙後端が定着ローラを通過するはずの時点を、排紙センサが用紙先端を検出した時点を基準として判断する。従来のジャム発生検知処理フローに、排紙ローラの回転速度をＶ２に減速する処理を加えたものである。
【手続補正９】
【補正対象書類名】明細書
【補正対象項目名】００２９
【補正方法】変更
【補正の内容】
【００２９】
図２に示すステップ１で、トナー画像が転写された用紙を速度Ｖ１で定着器に搬送する。ステップ２で、排紙センサがオンになるまで待つ。ステップ３で、タイマ計時を開始する。経過した時間をＴとする。ステップ４で、排紙センサがオフになったかどうか調べる。オフになっていなければ、ステップ５で、経過時間Ｔが（（Ｌ−Ｓ）÷Ｖ１）であるかどうか調べる。そうであれば、ステップ６で、排紙ローラの回転速度をＶ２に下げる。ステップ７で、経過時間Ｔが（（Ｌ−Ｓ）÷Ｖ１＋（Ｓ÷Ｖ２））より長いかどうか調べる。そうでなければ、ステップ４に戻る。長ければ、ジャム発生と判定する。ステップ４で、排紙センサがオフであれば、ステップ８で、経過時間Ｔが（（Ｌ−Ｓ）÷Ｖ１＋（Ｓ÷Ｖ２））より短いかどうか調べる。短ければ、ジャム発生と判定する。そうでなければ、正常に搬送完了と判定する。
【手続補正１０】
【補正対象書類名】明細書
【補正対象項目名】００３０
【補正方法】変更
【補正の内容】
【００３０】
上記のように、本発明の実施例１では、画像形成装置を、正常状態であれば用紙が定着ローラを抜けてから排紙ローラを抜けるまでの間、排紙ローラの回転速度を所定の速度に減速し、定着部材と排紙口との間の用紙の通過状態を所定時間監視して、用紙の定着巻付ジャムを判定する構成としたので、排紙を誤検知する可能性がなくなり、定着巻付ジャムをより確実に検出できる。
【手続補正１１】
【補正対象書類名】明細書
【補正対象項目名】００３５
【補正方法】変更
【補正の内容】
【００３５】
図４に示すステップ21で、トナー画像が転写された用紙を速度Ｖ１で定着器に搬送する。ステップ22で、排紙センサがオンになるまで待つ。ステップ23で、タイマ計時を開始する。経過した時間をＴとする。ステップ24で、排紙センサがオフになったかどうか調べる。オフになっていなければ、ステップ25で、経過時間Ｔが（（Ｌ−Ｓ）÷Ｖ１＋（Ｓ÷Ｖ２））より長いかどうか調べる。そうでなければ、ステップ24に戻る。長ければ、ジャム発生と判定する。ステップ24で、排紙センサがオフであれば、ステップ26で、経過時間Ｔが（（Ｌ−Ｓ）÷Ｖ１＋（Ｓ÷Ｖ２））より短いかどうか調べる。短ければ、ジャム発生と判定する。そうでなければ、正常に搬送完了と判定する。
【手続補正１２】
【補正対象書類名】明細書
【補正対象項目名】００３６
【補正方法】変更
【補正の内容】
【００３６】
上記のように、本発明の実施例２では、画像形成装置を、レジストセンサが用紙後端を検出した時点を基準として、排紙ローラの回転速度を減速する時点を判断し、用紙の後端が定着ローラを通過するはずの時点で排紙ローラを減速する構成としたので、排紙を誤検知する可能性がなくなり、定着巻付ジャムをより確実に検出できる。
【手続補正１３】
【補正対象書類名】明細書
【補正対象項目名】００４１
【補正方法】変更
【補正の内容】
【００４１】
上記のように、本発明の実施例３では、画像形成装置を、排紙ローラの回転速度を減速するか否かを判断して、定着巻付ジャムが発生する可能性がある場合にのみ、排紙ローラの回転速度を減速する構成としたので、排紙を誤検知する可能性がなくなり、定着巻付ジャムをより確実に検出でき、効率もよくなる。